(57)【特許請求の範囲】
【請求項１】
容器本体（１）と、この容器本体（１）の上面を閉塞する蓋体（２）との各後部を蝶着させたコンパクト容器において；
前記容器本体（１）には、化粧料（Ｋ）が充填された中皿（４）を収納する環状壁（６）が頂部にフランジ（５）を有して底板（３）から起立して設けられ；
一方前記蓋体（２）には貫通孔（９）が設けられ、この貫通孔（９）には前記化粧料（Ｋ）を密封するパッキン（７）が裏面に取り付けられた押し釦（８）が脱抜不能且つ上下動可能に遊嵌されており、前記蓋体（２）の裏面にあって前記貫通孔（９）の周辺には、前記フランジ（５）の外周縁と係合する突起（１０）を設けた係合片（１１）がほぼ均等間隔をおいて複数箇所に垂設されているとともに、更に前記蓋体（２）の周壁（１２）に指掛部（１３）が設けられたことを特徴とするコンパクト容器。
【発明の詳細な説明】
【０００１】
【産業上の利用分野】
本発明は、揮発性化粧料を収納するのに好適なコンパクト容器に係わり、特に気密性にすぐれたコンパクト容器に関する。
【０００２】
【従来の技術】
気密性を必要とする化粧料を収納するコンパクト容器として、蓋側にパッキンを設けたものが提案されている。このようなコンパクト容器の従来例として、図５に示す、実開平４ー３１８号の公報に開示された考案が知られている。
【０００３】
この従来のコンパクト容器は、上面に化粧料５８が収納される収納凹所５２および塗布具５３が納置される塗布具収納所５４とが左右に刻設された器体５１と、蓋体５６とを長手方向の後端面に設けられた蝶番部５７によって開閉自在に蝶着し、該蝶番部５７の反対側の前端面５５に蓋体５６を閉じた状態で保持する係止機構６０を設け、器体５１の収納凹所５２内部を密閉状態にするパッキン５９を器体５１若しくは蓋体５６に貼着した構成において、蓋体５６の蝶番部５７を構成する蝶番片６１と、蓋体５６の係止機構６０を、蝶番片６１と係止機構６０とを結んだ線がパッキン５９を横切るように配置した構成とされている。
【０００４】
そして、蓋体５６を閉じた状態に維持する蝶番部５７と係止機構６０との対向線上にかかるようにパッキン５９を配置することにより、パッキン５９による密閉を確実にしようというものである。
【０００５】
【発明が解決しようとする課題】
ところで、上記のコンパクト容器においては、蝶番部５７と係止機構６０との二点の位置の係合力でパッキン５９を収納凹所５２に押さえ込む構成であるので、パッキン５９と収納凹所５２との当たりの強さが二点に偏って不均一であり、更にパッキン５９は器体５１若しくは蓋体５６に固定されているので、器体５１および蓋５６の成形上の歪みも加わってパッキン５９の当たりはいっそう不均一となり、確実に気密性を維持することが困難である。
【０００６】
本発明は、上記の問題に鑑みてなされたもので、蓋を閉めたときパッキンが均一に当たって化粧料の収納部を確実に密閉し、気密性の高いコンパクト容器を提供することを目的としている。
【０００７】
【課題を解決するための手段】
本発明に係わるコンパクト容器は、容器本体と、この容器本体の上面を閉塞する蓋体との各後部を蝶着させたコンパクト容器において、前記容器本体には、化粧料が充填された中皿を収納する環状壁が頂部にフランジを有して底板から起立して設けられ、一方前記蓋体には貫通孔が設けられ、この貫通孔には前記化粧料を密封するパッキンが裏面に取り付けられた押し釦が脱抜不能且つ上下動可能に遊嵌されており、前記蓋体の裏面にあって前記貫通孔の周辺には、前記フランジの外周縁と係合する突起を設けた係合片がほぼ均等間隔をおいて複数箇所に垂設されているとともに、更に前記蓋体の周壁に指掛部が設けられたことを特徴としている。
【０００８】
【作用】
本発明に係わるコンパクト容器においては、蓋体を閉じると、蓋体の貫通孔に遊嵌している押し釦の裏面に接着されたパッキンが中皿の上面に圧接するとともに、蓋体の裏面にあって前記貫通孔の周辺に均等間隔をおいて複数箇所に垂設された係合片が、中皿を収納している環状壁のフランジの外周縁に係合する。
【０００９】
この閉蓋操作の結果、係合片は均等間隔で配置されているので、パッキンを均等に中皿の上面に押さえ込んで保持するとともに、押し釦は貫通孔に遊嵌して上下動可能となっているので、パッキンは中皿に応じて容易に撓んで馴染み、化粧料を気密に保持する。
【００１０】
次に、蓋体を開くときは、容器本体を片手で持ち、もう一方の手指で蓋体の周壁下端の指掛け部と押し釦の天面とを挟持するようにして押し釦を押し込む。
【００１１】
この操作により、押し釦は蓋体の閉位置から相対的に降下するので容器本体を押し釦で押し出すようにして蓋体との係合を解除する。
【００１２】
そして、指掛け部と押し釦の天面を挟持したまま蓋体を開くことができるので、蓋体の係止の開放操作と開き操作が同時にできる。
【００１３】
【実施例】
以下、本発明の好適な一実施例を図面を参照しながら説明する。
図１乃至図４は、本発明に係わるコンパクト容器の好適な実施例を示すもので、容器本体１と、この容器本体１の上面を閉塞する蓋体２とが、後端壁で開閉自在に蝶番ピンによつて蝶着されて構成されており、容器本体１と蓋体２とはＳＡＮ、ＡＢＳなど汎用の合成樹脂材料を用いて成形されている。
【００１４】
図に示すように、扁平な箱体からなる容器本体１は、周壁１６で囲まれたパフ収納部１５と、このパフ収納部１５の前方に区画して底板３から起立して設けられた化粧料Ｋが充填された中皿４を収納する環状壁６とを具えている。
【００１５】
前記環状壁６の頂部は、環状壁６の内外に亘って広がる帯状の扁平なフランジ５に形成され、このフランジ５の内周縁２７には中皿４の後述する係止溝１７と係合して中皿４を固定させる係止片１８が等間隔をおいて複数箇所に垂設されている。
【００１６】
一方フランジ５の外周縁２８は、後述する蓋体２の貫通孔９の周辺の裏面から複数箇所に垂設された係合片１１の内面に突設された突起１０と係合して閉蓋状態を維持するもので、環状壁６の頂部より外側に突出して周設されている。
【００１７】
そして、このフランジ５の上面は、中皿４の開口部に周設された中皿フランジ１９を支承するもので、中皿フランジ１９とほぼ同幅に形成されている。
【００１８】
更に容器本体１の底板３の先端部は、図３に示すように、後方へ向かって湾曲して切り欠かれた凹所２１に形成されている。この凹所２１は、蓋体２の先端に設けた指掛け部１３に指が掛かり易いように設けたものである。従って、図４に示すように、指掛け部１３を蓋体２の先端前方に突出して設ければこの凹所２１は必要のないものである。
【００１９】
中皿４は、図３に示すように、ファンデーションなどの化粧料Ｋを収納するもので、合成樹脂、アルミニウム、鋼など剛性のある材料を使用して形成されており、中皿４の周壁２０には係止溝１７が周設されて係止片１８と係合し、開口部には中皿フランジ１９が周設されてフランジ５に支承されることによって、環状壁６内に固定されている。
【００２０】
次に、先端下面を指掛け部１３とした周壁１２に囲まれた蓋体２の裏面には、化粧用の鏡２２が取り付けられ、この鏡２２の前方には、中皿４の上面を閉塞する押し釦８を遊嵌した円形の貫通孔９が設けられている。
【００２１】
前記貫通孔９は、上部開口縁に沿ってリブ２３が周設されて押し釦８が上下動する内壁が形成され、下部開口端には押し釦８の下方への抜け止めとなる内向きリブ２４が周設されている。
【００２２】
一方、前記押し釦８は、中皿４に対応して上面が扁平な円盤状に形成され、周壁には前記内向きリブ２４に上方から当接して下方への抜け止めとなる下向き段部２５と、前記内向きリブ２４に下方から当接して上方への抜け止めとなる外向きリブ２６とが上下所定間隔で周設されている。
【００２３】
そして、下向き段部２５と外向きリブ２６との間の制限された距離が押し釦８の上下動可能な範囲となって、押し釦８は脱抜不能に貫通孔９内に遊嵌されている。
【００２４】
また、押し釦８の裏面には合成樹脂製の発泡体にフイルムを積層したパッキン７が接着して設けられ、中皿フランジ１９に当接して化粧料Ｋを気密に密封するようになっている。尚、パッキン７はこの実施例に限るものではなく、射出成形による合成樹脂製の成形パッキンを取り付けてもよいことは云うまでもない。
【００２５】
以上のように構成された本実施例のコンパクト容器の蓋２を閉じると、内向きリブ２４の下面が外向きリブ２６と当接し、蓋体２の貫通孔９に遊嵌している押し釦８の裏面に接着されたパッキン７は中皿フランジ１９の上面に当接するとともに、蓋２の裏面にあって前記貫通孔９の周辺に均等間隔をおいて複数箇所に垂設された係合片１１が、中皿４を収納している環状壁６のフランジ５の外周縁２８に係合する。
【００２６】
この閉蓋操作により、係合片１１は均等間隔で配置されているのでパッキン７を均等に中皿フランジ１９に押さえ込んで保持するとともに、パッキン７が接着された押し釦８は貫通孔９に遊嵌して上下動可能となっているので、パッキン７は中皿フランジ１９の上面に応じて容易に撓んで馴染み、化粧料Ｋを確実に気密に保持する。
【００２７】
次に、蓋体２を開くときは、図２に示すように、容器本体１を片手で持ち、もう一方の手指で蓋体２の周壁１２下端に設けた指掛け部１３と押し釦８の天面とを挟持するようにして押し釦８を押し込む。
【００２８】
この操作により、下向き段部２５は内向きリブ２４の上面に迄下降して当接し、押し釦８は蓋体２の閉位置から相対的に降下するので容器本体１を押し釦８で押し出すようにして蓋体２との係合を解除する。
【００２９】
そして、指掛け部１３と押し釦８の天面とを挟持したまま蓋体２を開く操作ができるので、容器本体１と蓋体２との係合の開放と開蓋操作とが同時にできる。
【００３０】
尚、本実施例では、コンパクト容器の短辺側の後端を蝶着し、その反対側の先端部に指掛け部１３を設けているが、蝶着位置は短辺側に限るものではなく、長手方向の後端に設け、その反対側の環状壁６の周辺に指掛け部１３を設けた構成にしてもよいことは云うまでもない（図示せず）。
【００３１】
【発明の効果】
本発明に係わるコンパクト容器によれば、蓋体に、化粧料を密封するパッキンが接着された押し釦が脱抜不能に且つ上下動可能に遊嵌している貫通孔が設けられ、蓋体の裏面にあって貫通孔の周辺には、化粧料収納箇所の周囲のフランジの外周縁と係合する係合片がほぼ均等間隔をおいて複数箇所に垂設された構成としたので、蓋を閉めたとき、パッキンを均等に中皿フランジの上面に押さえ込むことができるとともに、パッキンは中皿に合わせて容易に撓んで馴染み、パッキンが均一に当たって化粧料の収納部を確実に密閉し、気密性を高めることができる。
【００３２】
更に、本発明に係わるコンパクト容器によれば、蓋体を開くときは、容器本体を片手で持ち、もう一方の手指で蓋体の周壁下端の指掛け部と押し釦の天面を挟持するようにして押し釦を押し込むと、下向き段部は内向きリブの上面に迄下降して当接し、押し釦は蓋体の閉位置から相対的に降下するので容器本体を押し釦で押し出すようにして蓋体との係合を解除することができる。
【００３３】
そして、指掛け部と押し釦の天面を挟持したまま蓋体を開くことができるので、容器本体と蓋体との係合の開放と開蓋操作が同時にできて使い勝手がよい。
【図面の簡単な説明】
【図１】本発明に係わるコンパクト容器の実施例を示す縦断面図。
【図２】同コンパクト容器の使用状態を示す斜視図。
【図３】同コンパクト容器を９０度開いた状態を示す一部を分解した斜視図。
【図４】同コンパクト容器の別の実施例を示す側面図。
【図５】従来例のコンパクト容器の斜視図。
【符号の説明】
１  容器本体
２  蓋体
３  底板
４  中皿
５  フランジ
６  環状壁
７  パッキン
８  押し釦
９  貫通孔
１０  突起
１１  係合片
１２  周壁
１３  指掛け部
Ｋ  化粧料
【図１】
0003588638.tif 000002
【図２】
0003588638.tif 000003
【図３】
0003588638.tif 000004
【図４】
0003588638.tif 000005
【図５】
0003588638.tif 000006